(57)【特許請求の範囲】
【請求項１】
撮像センサと、前記撮像センサ前方の対物光学系とを密閉カプセルに内蔵するカプセル型内視鏡において、
少なくとも前記撮像センサの撮像エリア部分をカバーする透明カバー部材を、前記撮像センサ外表面を覆うように固定し、更に前記透明カバー部材の外表面に対物光学系を構成する第２レンズを密着固定し、前記対物光学系を構成する第１レンズを取り付けたレンズ枠の内径を第２レンズ外径より大きくて、移動ガイドを使って第２レンズに対して第１レンズ側を前後に移動してピント出し調整を行う際に、３次元的な位置合わせを行って固定することを特徴とするカプセル型内視鏡。
【発明の詳細な説明】
【０００１】
【発明の属する技術分野】
本発明は生体内を検査する飲み込み型のカプセル型内視鏡に関する。
【０００２】
【従来の技術】
近年、内視鏡は医療用分野及び工業用分野で広く採用されるようになった。また、最近、内視鏡における挿入部を必要としないで、カプセル形状にしたカプセル型内視鏡を患者が飲み込むことにより、挿入部による挿入の苦痛を軽減できるようにしたものが医療用分野で使用される状況になった。
例えば、特開２００１−９１８６０号公報がある。
【０００３】
この従来例では、略半球状の透明カバーの内部に対物レンズと、これを挟むように対称に設けた発光素子による照明手段とを内蔵し、発光素子により照明された被写体は観察範囲となる部分が対物光学系によりイメージセンサ上に結像するようにしている。
【０００４】
また、この従来例では透明カバー内に対物レンズを固定したものであり、剥き出しのイメージセンサに対して、対物レンズの鏡筒を移動させてピント出しを行った後、固定ネジでレンズ保持筒に固定する構造と考えられる。
【０００５】
【発明が解決しようとする課題】
このため、上記従来例では、ピント出し時に生じるレンズ枠の削れカス等のごみが撮像（イメージ）センサの前面に付着し、ごみによって良好画像が得られなくなったり、撮像エリアを損傷させる可能性が高いという不具合があった。
【０００６】
（発明の目的）
本発明は、上述した点に鑑みてなされたもので、対物光学系のピント出し調整を行う前に、透明カバー部材に設けた凸面部によって撮像センサの撮像エリアの表面と間隔を開けて封止することにより、ピント出し調整の際にゴミが出ても撮像エリアに入って付着することを防止でき、また撮像エリアの損傷を防止できるカプセル型内視鏡を提供することを目的とする。
【０００７】
【課題を解決するための手段】
本発明の一態様によるカプセル型内視鏡は、撮像センサと、前記撮像センサ前方の対物光学系とを密閉カプセルに内蔵するカプセル型内視鏡において、
少なくとも前記撮像センサの撮像エリア部分をカバーする透明カバー部材を、前記撮像センサ外表面を覆うように固定し、更に前記透明カバー部材の外表面に対物光学系を構成する第２レンズを密着固定し、前記対物光学系を構成する第１レンズを取り付けたレンズ枠の内径を第２レンズ外径より大きくて、移動ガイドを使って第２レンズに対して第１レンズ側を前後に移動してピント出し調整を行う際に、３次元的な位置合わせを行って固定する。
【０００８】
【発明の実施の形態】
以下、図面を参照して本発明の実施の形態を説明する。
（第１の実施の形態）
図１ないし図６は本発明の第１の実施の形態に係り、図１は第１の実施の形態を備えたカプセル型内視鏡装置等の構成を示し、図２は第１の実施の形態のカプセル型内視鏡の構成を示し、図３は第２レンズと一体化された透明なカバー部材を示し、図４は撮像部周辺の具体的な構造を示し、図５は変形例における撮像部の構造を示し、図６は変形例における第２レンズと一体化された透明なカバー部材を示す。
【０００９】
図１（Ａ）に示すように本発明の第１の実施の形態を備えた内視鏡検査を行うカプセル型内視鏡装置１は、患者２の口部から飲み込まれることにより体腔内管路を通過する際に体腔内管路内壁面を光学的に撮像した画像信号を無線で送信するカプセル型内視鏡３と、このカプセル型内視鏡３で送信された信号を患者２の体外に設けたアンテナユニット４により受け、画像を保存する機能を有する、（患者２の体外に配置される）体外ユニット５とから構成される。
【００１０】
この体外ユニット５には、画像データを保存するために、容量が例えば１ＧＢのコンパクトフラッシュ（Ｒ）サイズのハードディスクが内蔵されている。
そして、体外ユニット５に蓄積された画像データは検査中或いは検査終了後に図１（Ｂ）の表示システム６に接続して、画像を表示することができる。
【００１１】
つまり、図１（Ｂ）に示すようにこの体外ユニット５は、表示システム６を構成するパーソナルコンピュータ（以下、パソコンと略記）７とＵＳＢケーブル８等の通信を行う通信ケーブルで着脱自在に接続される。
【００１２】
そして、パソコン７により体外ユニット５に保存した画像を取り込み、内部のハードディスクに保存したり、表示するため等の処理を行い表示部９により保存した画像を表示できるようにしている。このパソコン７にはデータ入力操作等を行う操作盤としての例えばキーボード１０が接続されている。
【００１３】
ＵＳＢケーブル８としては、ＵＳＢ１．０、ＵＳＢ１．１、ＵＳＢ２のいずれの通信規格でも良い。また、この他にＲＳ−２３２Ｃ、ＩＥＥＥ１３９４の規格のシリラルのデータ通信を行うものでも良いし、シリアルのデータ通信を行うものに限定されるものでなく、パラレルのデータ通信を行うものでも良い。
【００１４】
図１（Ａ）に示すようにカプセル型内視鏡３を飲み込んで内視鏡検査を行う場合には、患者２が着るシールド機能を持つシールドシャツ１１の内側には複数のアンテナ１２が取り付けられたアンテナユニット４が装着され、カプセル型内視鏡３により撮像され、それに内蔵されたアンテナから送信された信号を受け、このアンテナユニット４に接続された体外ユニット５に撮像した画像を保存するようにしている。この体外ユニット５は、例えば患者２のベルトに着脱自在のフックにより取り付けられる。
【００１５】
また、この体外ユニット５は例えば箱形状であり、前面には画像表示を行う表示装置としての例えば液晶モニタ１３と、制御操作を行う操作ボタン１４とが設けてある。また、体外ユニット５の内部には、送受信回路（通信回路）、制御回路、画像データ表示回路、電源を備えている。
【００１６】
図２に示すように第１の実施の形態のカプセル型内視鏡３は、円筒形状でその後端を丸くして閉塞した外装ケース１６の先端側となる開口する端部に半球面形状の透明カバー１７を水密的に接続固定してその内側を密閉し、その密閉したカプセル状容器内に以下の内蔵物を収納している。
【００１７】
透明カバー１７に対向する中央部には、遮光性のレンズ枠２０に固定された対物光学系２１が配置され、その結像位置には、基板２２の前面に取り付けられたＣＭＯＳイメージャ或いはＣＣＤ等の撮像センサ２３が配置される。
【００１８】
この場合、レンズ枠２０には対物光学系を構成する第１レンズ２４が取り付けられ、第２レンズ２５はその後面側に同じ部材で一体成形した透明なカバー部材２６が撮像センサ２３に取り付けられ、この第２レンズ２３の外径に嵌合する内径のレンズ枠２０側を光軸Ｏ方向に移動してピント出し調整を行い、レンズ枠２０側を固定するようにしている。なお、この一体成形する透明な部材としては、ガラス或いは合成樹脂製である。
【００１９】
つまり、第２レンズ２５は図３（Ａ）及び図３（Ｂ）に示すように、前面側は凸となり、その後面側に透明なカバー部材２６が一体的に形成されている。なお、図３（Ａ）は側面図を示し、図３（Ｂ）は図３（Ａ）の左側から見た正面図を示す。
【００２０】
このカバー部材２６には撮像センサ（２３に取り付けられる）側となる後面は平面部とし、その平面部における四角状の周囲は平面部から同じ高さで突出させた凸面部２７が設けてあり、この凸面部２７が図４（Ａ）に示すように撮像センサ２３の撮像エリア２３ａの周囲の面に圧着され、封止用の接着剤２８で接着固定されている。つまり、撮像センサ２３は透明なカバー部材２６により、その撮像エリア２３ａと間隔をあけてカバー部材２６で封止するように固定されている。
【００２１】
また、レンズ枠２０には照明手段としての白色ＬＥＤ３１をその前面に取り付けた基板３２がその中央に設けた孔部にレンズ枠２０を嵌合させて接着剤などで固定されている。
【００２２】
この白色ＬＥＤ３１には、その発光面に拡散させる機能を持つ拡散板３３が取り付けられており、白色ＬＥＤ３１のみの場合よりも広範囲の角度で白色の照明光を出射できるようにしている。
また、基板３２の背面には、この白色ＬＥＤ３１をフラッシュ発光させるＬＥＤ駆動回路を構成するチップ部品３４が実装されている。
【００２３】
また、撮像センサをその前面に取り付けた基板２２の背面には基板２２とで撮像センサ２３を駆動すると共に、その出力信号に対する信号処理や、全体の制御を行う駆動＆制御回路３５、撮像センサ２３で撮像した画像情報を無線で送信するための信号処理を行う無線通信回路３６、無線通信回路３６等に電力を供給するボタン型の２つの電池３７がその長手方向に積層するようにして配置されている。
【００２４】
また、駆動＆制御回路３５及び無線通信回路３６に隣接する側部には無線通信回路３６に接続され、電波で画像情報を送信等するアンテナ３８が配置されている。
【００２５】
なお、対物光学系２１の第１レンズ２４の前面には明るさ絞り３９（図４（Ａ）参照）が配置され、その入射瞳４０の位置は透明カバー１７の略半球形状の内面及び外面の曲率半径の中心位置に配置され、その周辺に配置された白色ＬＥＤ３１による照明光が内面等で反射された場合にも対物光学系２１に入射しないようにしている。なお、図２では対物光学系２１による視野角をφで示しており、例えば視野角φは９０°〜１４０°程度である。
【００２６】
図４はカプセル状容器内に実際に組み込まれる状態の撮像部周辺（具体的には撮像センサ２３周辺及び対物光学系２１周辺）の構造を具体的に示したものである。なお、図４（Ａ）は撮像センサ２３周辺部の構造を断面を示し、図４（Ｂ）は図４（Ａ）のＡ矢視図を示す。また、図４（Ａ）は図４（Ｂ）のＢ−Ｂ′断面を示す。
【００２７】
図４（Ａ）に示すように撮像センサ２３の撮像面の中央部の撮像（光電変換）を行う撮像エリア２３ａを覆うように（２次元的に配置された微小レンズアレイからなる）マイクロレンズ４１が取り付けられており、このマイクロレンズ４１により、（これを設けない場合よりも）撮像エリア２３ａの各画素に入射される光量を増大してＳ／Ｎの良い撮像を行うことができるようにしている。
【００２８】
本実施の形態では、このマイクロレンズ４１の上面から第２レンズ２５と一体成形されたカバー部材２６に設けた凸面部２７の下面（凸面）で撮像エリア２３ａの周囲のマイクロレンズ４１の上面を圧着し、速効性の接着剤による点付け接着等で短時間にカバー部材２６側を固定し、その周囲を接着剤２８で封止するように接着している。
【００２９】
なお、カバー部材２６の凸面部２７の高さｈは例えば０．０５ｍｍ〜０．１ｍｍ程度であり、この凸面部２７によって撮像エリア２３ａを覆うマイクロレンズ４１部分を損傷させないで封止するようにしている。つまり、撮像エリア２３ａ部分は、これに取り付けたマイクロレンズ４１から高さｈ離間して透明なカバー部材２６の（凸面部２７から引っ込んだ）平面部が平行となるようにして取り付けられる（換言すると、第２レンズ２５の光軸が撮像エリア２３ａの表面に垂直となるようにして取り付けられるようにしている）。
【００３０】
また、本実施の形態ではカバー部材２６における凸部２７の高さを除く厚さｄは０．３ｍｍ〜０．５ｍｍ程度に設定している。また、撮像面と凸部２７の下面との間隔φは２０ミクロン程度である。さらに第１レンズ２５の厚さｓは１ｍｍ〜１．５ｍｍ程度に設定している。
【００３１】
そして、本実施の形態では第２レンズ２５に嵌合するレンズ枠２０を、この第２レンズ２５に嵌合させて図４（Ａ）の矢印ｃで示すように光軸Ｏ方向に移動させてピント出し調整を行い、その後に黒色等、遮光性の接着剤４２で接着固定するようにしている。
【００３２】
このように本実施の形態では、対物光学系２１のピント出し調整を行う前に、カバー部材２６（に設けた凸面部２７）で撮像センサ２３の撮像エリア２３ａの表面と間隔を開けて封止することにより、ピント出し調整の際にゴミが出ても撮像エリア２３ａに入って付着するようなことを防止すると共に、撮像エリア２３ａを損傷させるようなことも防止するようにしている。
【００３３】
また、図４（Ａ）及び図４（Ｂ）に示すように、撮像センサ２３のチップは撮像エリア２３ａの両側の部分でワイヤボンディング４３により基板２２と電気的に接続されている。
【００３４】
なお、図４（Ａ）に示す例では基板２２は下側（背面側）の中央部が凹部となる短筒状基板が採用され、その下側の平面には制御用電気部品或いはメモリ部品４４が実装されている。そして、ワイヤボンディング４５で基板２２と電気的に接続され、その周囲は封止樹脂４６で封止されている。
【００３５】
このような構成の本実施の形態のカプセル型内視鏡３においては、上述したように、カバー部材２６（に設けた凸面部２７）で撮像センサ２３の撮像エリア２３ａの表面と間隔を開けて封止した後に、対物光学系２１のピント出し調整を行う構成になっている。
【００３６】
従って、ピント出し調整の際にゴミが出ても撮像エリア２３ａに入って付着するようなことを防止できると共に、撮像エリア２３ａを損傷させるようなことも防止できる。
【００３７】
従って、本実施の形態は以下の効果を有する。
対物光学系２１のピント出し調整を行う前に、カバー部材２６（に設けた凸部２７）で撮像センサ２３の撮像エリア２３ａの表面と間隔を開けて封止しているので、ピント出し調整の際にゴミが出ても撮像エリア２３ａに入ってしまうことを防止できると共に、撮像エリア２３ａを損傷させるようなことも防止でき、良好な画像を得ることができる。
【００３８】
また、第２レンズ２５はこれと、一体成形したカバー部材２６を撮像センサ２３の撮像エリア２３ａ周囲の部分に固定する構造にしているので、第２レンズ２５を取り付けるレンズ枠を不必要として、他方の第１レンズ２４を取り付けた１つのレンズ枠２０を第２レンズ２５に嵌合移動させてピント出しを行うことができるので、複数のレンズ枠を用いた場合よりもレンズ枠による部品公差によるバラツキを少なくでき、品質の良好な撮像光学系を実現できる。従って、品質の良好な観察画像を得ることができる。
【００３９】
図５は変形例による撮像部周辺の構造を示す。本変形例では、レンズ枠２０′の内径は第２レンズ２５の外径より僅かに大きく形成されており、ピント出し調整を行う場合に、第２レンズ２５側に対してレンズ枠２０′を図示しない調整治具或いは移動ガイド治具で保持して、図５の光軸Ｏ方向に移動する調整の他に、この光軸Ｏ方向と直交する２つの方向Ｄ、Ｅ方向にも調整を行った後、遮光性の接着剤４２で固定するようにしている。
【００４０】
その他は第１の実施の形態と同様の構成である。本変形例によれば、ピント出し調整を単に光軸Ｏ方向の他にこれと直交する２つの方向Ｄ，Ｅに対しても調整を行って固定する、つまり３次元的にピント出し調整を行うので、より精度の良いピント出し状態に設定することができ、より良好な画像を得ることができるようになる。又、第２レンズ２５に成形にて使った時の抜き勾配があっても、直接レンズ枠２０′を密着させないので問題なく、各部品の精度も厳しくする必要がないので全ての部品を安価な成形品で作れるというメリットがある。
【００４１】
図６は変形例のカバー部材２６′を示す。
図３では第２レンズ２５に一体的に設けたカバー部材２６の凸部２７の内側は撮像エリア２３ａより僅かに広い正方形であったが、図６に示す変形例のカバー部材２６′のように、撮像エリア２３ａより僅かに広い円形にしても良い。
【００４２】
（第２の実施の形態）
次に本発明の第２の実施の形態を図７及び図８を参照して説明する。図７は第２の実施の形態における撮像部周辺の構造を示し、図８はカバー部材を示す。
第１の実施の形態では、第２レンズ２５にカバー部材２６を一体的に設けていたが、本実施の形態では第２レンズ２５とカバー部材２６とを別体にしている。
つまり、撮像センサ２３には第１の実施の形態と同様にカバー部材２６が撮像エリア２３ａの周囲のマイクロレンズ４１を圧着するようにして取り付けられ、その周囲を接着剤２８で封止固定される。
【００４３】
そして、このカバー部材２６の上面に、第２レンズ２５が透明な光学系用接着剤５１で位置決めして接合される。その後、第１レンズ２４を取り付けたレンズ枠２０が第２レンズ２５に嵌合し、その光軸Ｏ方向に移動してピント出し調整された後、遮光性の接着剤４２で固定される。
【００４４】
このように本実施の形態では、撮像センサ２３の撮像エリア２３ａ部分をカバーする透明カバー部材２６を、撮像センサ２３の外表面部分のマイクロレンズ４１上面に直接、圧着或いは密着して固定し、更に透明カバー部材２６の外表面に対物光学系２１の第２レンズを密着固定する構成にしていることが特徴となっている。
【００４５】
なお、本実施の形態では、凸面部２７の高さｈは１００ミクロン程度、透明なカバー部材２６の厚さｄは０．４ｍｍ〜０．５ｍｍ程度に設定され、また撮像面と凸部２７の下面との間隔φは２０ミクロン程度である。
【００４６】
本実施の形態におけるカバー部材２６を図８に示す。このカバー部材２６は円板形状であり、その周縁は突出する凸面部２７が形成されている。この場合、凸面部２７の内側の平面部は、例えば円形面となるようにエッチングで形成される。
【００４７】
その他の構成は第１の実施の形態と同様である。また、本実施の形態の作用は第１の実施の形態と同様である。
本実施の形態は第１の実施の形態と同様の効果を有すると共に、透明なカバー部材２６を金型を用いないで、削り加工で作れるので、材料選択幅を広げることができる。
【００４８】
図９は第１変形例における撮像部周辺の構成を示す。第２の実施の形態では、第２レンズ２５よりカバー部材２６の方がその半径方向のサイズが大きかったが、本変形例では、図９に示すように第２レンズ２５の外径Ｄ１とカバー部材２６の外径Ｄ２とを等しくした。
【００４９】
そして、レンズ枠２０の内径Ｅに嵌合するサイズにした。つまり、Ｅ＝Ｄ１＝Ｄ２にした。そして、この図９に示すようにレンズ枠２０の嵌合長Ｌをカバー部材２６に嵌合させることができるようになるので、より長くできる。なお、本変形例では基板２２は円板形状のものが採用されている。その他は第２の実施の形態と同様の構成である。
【００５０】
本変形例によれば、嵌合長Ｌを長くできるので、第１レンズ２４及び第２レンズ２５間の光軸Ｏ方向からの傾きを減らすことができる。
また接合強度を大きくできる。さらに組立性が向上する。その他は第２の実施の形態と同様の効果がある。
【００５１】
図１０は第２変形例における撮像部周辺の構成を示す。第１変形例では第２レンズ２５の外径Ｄ１とカバー部材２６の外径Ｄ２とを等しくしたが、本変形例では第２レンズ２５の外径Ｄ１をカバー部材２６の外径Ｄ２より大きくした。
その他は第１変形例と同様の構成である。
本変形例も第１変形例とほぼ同様の作用効果がある。
【００５２】
（第３の実施の形態）
次に本発明の第３の実施の形態を図１１及び図１２を参照して説明する。図１１は第３の実施の形態における対物光学系を取り付ける前の撮像部付近の構成を側面図で示し、図１２は上から見た平面図で示す。
本実施の形態では、撮像センサ２３は正方形の薄板形状であるが、その撮像エリア２３ａは図１２に示すように円形に形成されている。また、この撮像エリア２３を覆うマイクロレンズ４１も円形に形成されている。
【００５３】
また、本実施の形態では、この撮像面における撮像エリア２３ａ周囲の複数箇所、具体的には撮像センサ２３の４隅部分に円板形状で上方に同じ高さで突出する凸面部６２が、例えば一体的に設けてある。
【００５４】
そして、この凸面部６２を設けた撮像センサ２３の上面に、例えば正方形の平板形状の透明なカバー部材６１がその４隅の凸面部６２に、加圧して点付け接着等して、撮像面の前面をカバー部材２６が平行となるようにして覆うようにしている。
【００５５】
そして、ワイヤボンディング６３部分も含めて封止用の接着剤２８でその周囲を封止するようにしている。
なお、凸面部６２の高さｈは例えば５０ミクロン程度である。このカバー部材２６の上面には例えば、図７に示す対物光学系２１を形成する第２レンズ２５が接合され、さらにこの第２レンズ２５の外径に嵌合し、第１レンズ２４を取り付けたレンズ枠２０がピント出しして固定される。
本実施の形態によれば、第２の実施の形態と同様の作用効果がある。
【００５６】
（第４の実施の形態）
次に本発明の第４の実施の形態を図１３及び図１４を参照して説明する。図１３は第４の実施の形態における対物光学系を取り付ける前の撮像部付近の構成を側面図で示し、図１４は上から見た平面図で示す。
【００５７】
第３の実施の形態では、撮像センサ２３における撮像エリア２３ａ周囲の４隅に凸面部６２を設けていたが、図１３及び図１４に示す本実施の形態では、撮像センサ２３における撮像エリア２３ａ周囲の上面にポリイミド等の薄板や両面テープ等のスペーサ部材６５を介してカバー部材６１を取り付けるようにしている。
【００５８】
つまり、撮像センサ２３の撮像エリア２３ａの周囲の上面部分にスペーサ部材６５を取り付け、その上面からカバー部材６１を取り付け、接着剤２８で封止するようにしている。つまり、本実施の形態では、撮像センサ２３やカバー部材６１と別のスペーサ部材６５を介挿して、撮像センサ２３にカバー部材６１を取り付けるようにしている。
【００５９】
その他は第３の実施の形態と同様の構成である。また、本実施の形態の作用効果は第３の実施の形態とほぼ同様である。
【００６０】
（第５の実施の形態）
次に本発明の第５の実施の形態を図１５を参照して説明する。図１５は第５の実施の形態における撮像部付近の構成を断面図で示す。
本実施の形態では、（対物光学系２１を構成する）第２レンズ２５には透明なカバー部材７１が一体的に設けてあり、このカバー部材７１は第２レンズ２５の外径より外側に平板状に延出した延出部７２が形成されており、この延出部７２を短筒状の基板７３の上面に当接させて点着け接着し、その後、その接続部周囲を封止用の接着剤２８で接着してその内部を封止している。
【００６１】
また、短筒状の基板７３の内側は２段の段差で中央の平面部が形成され、この平面部には撮像センサ２３が取り付けられ、その撮像エリア２３ａを覆うにマイクロレンズ４１が設けてある。そして、そのマイクロレンズ４１の両側の部分でワイヤボンディング４３により基板７３の回路と電気的に接続されている。
【００６２】
本実施の形態では、カバー部材７１は、第２レンズ２５に対向する部分が厚肉にされ、その下面がマイクロレンズ４１と僅かに離間するようにして、カバー部材７１の周辺の延出部７２を基板７３に、この延出部７２の平面が撮像エリア２３ａの面と平行となるようにして固定している。
【００６３】
なお、第２レンズ２５には、例えば第１の実施の形態のようにして、第１レンズを取り付けたレンズ枠２０がピント出し調整して取り付けられる。
本実施の形態によれば、第１の実施の形態と同様に部品点数を削減でき、製造コストを削減できる。また、バラツキ低減化することもできる。
【００６４】
（第６の実施の形態）
次に本発明の第６の実施の形態を図１６を参照して説明する。図１６は第６の実施の形態における撮像部付近の構成を断面図で示す。
第５の実施の形態では、カバー部材７１は板状の延出部７２を設けてその周縁部を基板７３に固定していたが、本実施の形態では、カバー部材７１には図１５の延出部７２の端部からさらに筒状にした筒部７５が形成され、この筒部７５の端面を基板７６に点付け接着し、延出部７２の平面が撮像エリア２３ａの面と平行となるように固定し、その後接着剤２８で接着してその内部を封止するようにしている。
【００６５】
また、本実施の形態では基板７６はその上面側は平面形状で、その中央部に撮像センサ２３が取り付けられ、中央の撮像エリア２３ａの両側でワイヤボンディング４３により基板７６と電気的に接続されている。
【００６６】
また、この基板７６の裏面側は第１の実施の形態と同様に短筒状にされ、電気部品やメモリ部品４４が実装され、ワイヤボンディング４５で基板７６と接続され、その周囲は封止樹脂４６で封止されている。
【００６７】
本実施の形態は第５の実施の形態とほぼ同様の作用効果を有する。
なお、上述した各実施の形態等を部分的等で組み合わせて構成される実施の形態等も本発明に属する。
【００６８】
［付記］
４．請求項１において、前記撮像センサの周辺には白色ＬＥＤが配置され、さらに前記撮像センサの前面には、白色ＬＥＤの色補正フィルタが装着されていることを特徴とする。
５．請求項１において、前記撮像センサは、ＭＯＳ型イメージセンサである。
６．前記撮像センサは、ＣＣＤ型イメージセンサである。
７．請求項１において、前記撮像エリア表面に対向する透明カバー部材表面が略平行となるように、撮像センサ表面の撮像エリア以外の部分に凸部を設けた。
【００６９】
７−１．付記７において、前記凸部は撮像センサに一体的に形成される。
７−２．付記７において、前記凸部は撮像センサと別体の部材によって形成される。
【００７０】
８．請求項１において、前記撮像エリア表面に対向する透明カバー部材表面が略平行となるように、透明カバー部材は撮像センサが取り付けられた基板に固定される。
９．請求項１において、透明カバー部材の周辺部に凸部を設け、該凸部は複数箇所で撮像センサ表面に固定され、撮像エリア表面と対向する透明カバー部材表面が略平行となるように設けた。
１０．請求項１において、前記透明カバー部材の外面に直接、対物光学系の第２レンズを密着固定する構成にした。
【００７１】
１１．請求項１において、前記透明カバー部材の外径と対物光学系の第２レンズの外径は略同一径もしくは、第２の対物レンズ外面の方が若干大きくなるように設定している。
１２．請求項１において、前記透明カバー部材の撮像センサ側は平坦面で外面側は凸レンズ状に構成し、上記透明カバー部材と対物光学系の第２レンズを一つの部材で兼用する構成とした。
１３．付記１２において、透明カバー部材と凸レンズは合成樹脂またはガラス製の一体成形品である。
１４．請求項１において、前記対物光学系の入射瞳の位置は前記透明カバー部材における半球状の曲率半径の中心位置に配置される。
【００７２】
１５．撮像センサと、該撮像センサ前方の対物光学系と、を密閉カプセルに内蔵するカプセル型内視鏡において、
少なくとも該撮像センサの撮像エリア部分をカバーする透明カバー部材を、該撮像センサ外表面を覆うように固定し、更に透明カバー部材の外表面に対物光学系を構成する第２レンズを密着固定したことを特徴とするカプセル型内視鏡。
【００７３】
１６．付記１５において、前記撮像センサが撮像し、出力した画像信号を体外に送信する送信手段を有する。
１７．付記１５において、前記透明カバー部材の外面と対物光学系の第２レンズの外経は略同一径もしくは、第２レンズ外経の方が若干大きくなるように設定してある。
【００７４】
１８．付記１５において、前記透明カバー部材の撮像センサ側は平坦面で外面側は凸レンズ状に構成し、上記透明カバー部材と第２レンズを一つの部材で兼用する構成とした。
１９．付記１５において、前記対物光学系を構成する第１レンズを取り付けたレンズ枠の内径は、第２レンズ外径より大きく、移動ガイドを使って第２レンズに対して第１レンズ側を前後に移動してピント出し調整を行う際に、３次元的な位置合わせを行って固定する構成とした。
【００７５】
２０．付記１５において、前記対物光学系の第１レンズは遮光枠に固定してあり、遮光枠内面と第２レンズの外径を略嵌合して両者を相対的に移動させることで、対物光学系のピント出し調整を行う構成とした。
２１．付記１５において、前記対物光学系は第１レンズと第２レンズとで構成され、両レンズは共に凸レンズで構成される。
２２．付記１５において、対物光学系を構成する第１レンズが取り付けられた遮光枠の周囲に生体内を照明する照明手段を固定し、照明手段と対物光学系の前方を透明カバーで覆うようにした。
【００７６】
２３．撮像センサと、該撮像センサ前方の対物光学系と、を密閉カプセルに内蔵するカプセル型内視鏡において、
少なくとも該撮像センサの撮像エリア部分をカバーする透明カバー部材を、該撮像センサ外表面を覆うように固定し、更に透明カバー部材の外表面に対物光学系を構成する第２レンズを一体又は別体で固定し、この第２レンズの外径に嵌合する第１レンズを取り付けた単一のレンズ枠を光軸方向に相対的に移動してピント出しして固定するようにしたことを特徴とするカプセル型内視鏡。
【００７７】
（付記１５〜２３の背景）
従来技術として特開２００１−９１８６０号公報がある。
（従来技術の概要と不具合）
略半球状の透明カバー内に対物レンズと照明体を固定したものであり、剥き出しのイメージセンサを固定した回路基盤を収納した電気要素保持筒に対して、対物レンズ鏡筒を移動させてピント出しを行った後、固定ネジで対物レンズ鏡筒をレンズ保持筒に固定するものであった。
このため、ピント出し時に生じるレンズ枠の削れカス等のごみが剥き出しの撮像（イメージ）センサの前面に付着し、ごみによって良好画像が得られなくなる可能性が高いと共に、イメージセンサと対物レンズとは複数の部材を介して位置出しを行う構成のために、多くの部品公差の積算によるバラツキにより画角や被写界深度等の光学性能が固体毎に大きくバラツクという不具合があった。
【００７８】
（目的）
複数の枠部材を使わずにピント出しでき、しかもピント出し時のごみの影響を少なくでき、且つレンズ枠部材の部品公差によるバラツキを少なくできるカプセル型内視鏡を提供することを目的とする。そして、この目的を達成するために、付記１５〜２３の構成にした。
【００７９】
【発明の効果】
以上説明したように本発明によれば、対物光学系のピント出し調整を行う前に、透明カバー部材に設けた凸面部によって撮像センサの撮像エリアの表面と間隔を開けて封止することにより、ピント出し調整の際にゴミが出ても撮像エリアに入って付着することを防止でき、また撮像エリアの損傷を防止できる。
【図面の簡単な説明】
【図１】本発明の第１の実施の形態を備えたカプセル型内視鏡装置等の構成を示す図。
【図２】第１の実施の形態のカプセル型内視鏡の構成を示す断面図。
【図３】第２レンズと一体化された透明なカバー部材を示す図。
【図４】撮像部周辺の具体的な構造を示す図。
【図５】変形例における撮像部周辺の構造を示す断面図。
【図６】変形例における第２レンズと一体化された透明なカバー部材を示す図。
【図７】本発明の第２の実施の形態における撮像部周辺の構造を示す断面図。
【図８】カバー部材を示す図。
【図９】第１変形例における撮像部周辺の構造を示す断面図。
【図１０】第２変形例における撮像部周辺の構造を示す断面図。
【図１１】本発明の第３の実施の形態における対物光学系を取り付ける前の撮像部の構造を示す側面図。
【図１２】図１１の上から見た平面図。
【図１３】本発明の第４の実施の形態における撮像部の構造を示す図。
【図１４】図１３の上から見た平面図。
【図１５】本発明の第５の実施の形態における撮像部の構造を示す図。
【図１６】本発明の第６の実施の形態における撮像部の構造を示す図。
【符号の説明】
１…カプセル型内視鏡装置
２…患者
３…カプセル型内視鏡
４…アンテナユニット
５…体外ユニット
６…表示システム
７…パソコン
８…ＵＳＢケーブル
１１…シールドシャツ
１２…アンテナ
１３…液晶モニタ
１６…外装ケース
１７…透明カバー
２０…レンズ枠
２１…対物光学系
２２、３２…基板
２３…ＣＭＯＳイメージャ
２３ａ…撮像エリア
２４…第１レンズ
２５…第２レンズ
２６…カバー部材
２７…凸面部
２８、４２…接着剤
３１…白色ＬＥＤ
３５…駆動＆制御回路
３６…無線通信回路
３７…電池
３８…アンテナ
４０…入射瞳
４１…マイクロレンズ
４３…ワイヤボンディング
【図１】
0004009473.tif 000002
【図２】
0004009473.tif 000003
【図３】
0004009473.tif 000004
【図４】
0004009473.tif 000005
【図５】
0004009473.tif 000006
【図６】
0004009473.tif 000007
【図７】
0004009473.tif 000008
【図８】
0004009473.tif 000009
【図９】
0004009473.tif 000010
【図１０】
0004009473.tif 000011
【図１１】
0004009473.tif 000012
【図１２】
0004009473.tif 000013
【図１３】
0004009473.tif 000014
【図１４】
0004009473.tif 000015
【図１５】
0004009473.tif 000016
【図１６】
0004009473.tif 000017